(57)【要約】【課題】コネクタハウジングの端子収容室と端子間のがたつきを抑制できるとともに、コスト低減を図ることができるコネクタを提供する。【解決手段】壁部２３に囲まれた端子収容室２４と端子収容室２４に突出するランス２５とが設けられたコネクタハウジング２と、端子収容室２４に収容され、ランス２５に係止されるランス係止部３４を有するメス端子３とを備え、コネクタハウジング２は、ランス２５の突出側に対向する側の壁部２３に規制凹部２６が設けられ、メス端子３には、端子収容位置で規制凹部２６に係止する突部３５が設けられた。【選択図】図１０
2013225430.tif 000002
【特許請求の範囲】
【請求項１】
壁部に囲まれた端子収容室と前記端子収容室に突出するランスとが設けられたコネクタハウジングと、前記端子収容室に収容され、前記ランスに係止されるランス係止部を有する端子とを備えたコネクタであって、
前記コネクタハウジングは、前記ランスの突出側に対向する側の前記壁部に規制凹部が設けられ、前記端子には、端子収容位置で前記規制凹部に係止する突部が設けられたことを特徴とするコネクタ。
【請求項２】
請求項１記載のコネクタであって、
前記突部は、前記端子の長手方向の中央箇所に設けられたことを特徴とするコネクタ。
【請求項３】
請求項１記載のコネクタであって、
前記突部の端子挿入側の先端面の先端は、アール形状に形成されたことを特徴とするコネクタ。
【発明の詳細な説明】
【技術分野】
【０００１】
本発明は、コネクタハウジング内に端子が収容され、端子が端子収容位置で係止されるコネクタに関する。
【背景技術】
【０００２】
従来より、二重係止構造のコネクタが種々提案されている（例えば、特許文献１参照）。この種のコネクタを適用したコネクタ装置１００が図１１に示されている。図１１において、コネクタ装置１００は、メスコネクタ１０１とこれに嵌合されたオスコネクタ１２０とから構成されている。メスコネクタ１０１は、端子収容室１０２と端子収容室１０２に突出するランス１０３とが設けられたコネクタハウジング１０４と、端子収容室１０２に収容され、ランス１０３に係止されるランス係止部（図示せず）を有するメス端子 １１０と、コネクタハウジング１０４に嵌合され、メス端子１１０に係止するスペーサ１１２とを備えている。
【０００３】
オスコネクタ１２０は、端子収容室１２２と端子収容室１２２に突出するランス１２３とが設けられたコネクタハウジング１２４と、端子収容室１２２に収容され、ランス１２３に係止されるランス係止部（図示せず）を有するオス端子 １３０と、コネクタハウジング１２４に嵌合され、オス端子１３０に係止するスペーサ１３２とを備えている。メス端子１１０とオス端子１３０は、電気的に接続されている。
【０００４】
上記構成において、メス端子１１０及びオス端子１３０は、共にランス１０３，１２３とスペーサ１１２，１３２によってそれぞれ二重係止されている。二重係止によって、端子収容室１０２，１２２とメス端子１１０及びオス端子１３０との間のがたつきが抑制される。したがって、振動条件下にあってもメス端子１１０及びオス端子１３０間で安定した電気的導通を行なうことができる。
【先行技術文献】
【特許文献】
【０００５】
【特許文献１】特開２０００−３５３５６３号公報
【発明の概要】
【発明が解決しようとする課題】
【０００６】
しかしながら、上記従来例のメスコネクタ１０１では、メス端子１１０を二重係止するために、コネクタハウジング１０４にランス１０３を設けるのみならず、別部材であるスペーサ１１２が必要であるため、複雑な構成となりコストがかかるというという問題があった。また、オスコネクタ１２０も同様であった。
【０００７】
そこで、本発明は、前記した課題を解決すべくなされたものであり、コネクタハウジングの端子収容室と端子間のがたつきを抑制できるとともに、コスト低減を図ることができるコネクタを提供することを目的とする。
【課題を解決するための手段】
【０００８】
本発明は、壁部に囲まれた端子収容室と前記端子収容室に突出するランスとが設けられたコネクタハウジングと、前記端子収容室に収容され、前記ランスに係止されるランス係止部を有する端子とを備えたコネクタであって、前記コネクタハウジングは、前記ランスの突出側に対向する側の前記壁部に規制凹部が設けられ、前記端子には、端子収容位置で前記規制凹部に係止する突部が設けられたことを特徴とする。
【０００９】
前記突部は、前記端子の長手方向の中央箇所に設けられたことが好ましい。前記突部の端子挿入側の先端面の先端は、アール形状に形成されたことが好ましい。
【発明の効果】
【００１０】
本発明によれば、端子収容位置に位置する端子は、コネクタハウジングのランスと規制凹部に係止され、これにより二箇所で係止されるため、コネクタハウジングの端子収容室内でのがたつきが抑制される。また、従来例のようにランスとともにスペーサを設けた場合と比べて、簡素な構成となるので、コネクタのコスト低減を図ることができる。
【図面の簡単な説明】
【００１１】
【図１】本発明の一実施形態を示し、コネクタの斜視図である。
【図２】本発明の一実施形態を示し、コネクタハウジングの一部を除いた状態でコネクタハウジングの内部構造を示す斜視図である。
【図３】本発明の一実施形態を示し、電線付きの端子の正面図である。
【図４】本発明の一実施形態を示し、電線付きの端子を下面側から見た斜視図である。
【図５】本発明の一実施形態を示し、（ａ）は電線付きの端子を上面側から見た斜視図で、（ｂ）は（ａ）のＡ部を拡大して示す斜視図である。
【図６】本発明の一実施形態を示し、端子の上面に設けられる突部及びコネクタハウジングの壁部に設けられる規制凹部を示す断面図である。
【図７】本発明の一実施形態を示し、端子をコネクタハウジングの端子収容室に挿入開始した状態を示す断面図である。
【図８】本発明の一実施形態を示し、端子をコネクタハウジングのランス後端まで挿入した状態を示す断面図である。
【図９】本発明の一実施形態を示し、端子がコネクタハウジングのランスに係合する状態を示す断面図である。
【図１０】本発明の一実施形態を示し、端子を端子収容位置まで挿入完了した状態を示す断面図である。
【図１１】一従来例を示し、コネクタの断面図である。
【発明を実施するための形態】
【００１２】
以下、本発明の実施形態を図面に基づいて説明する。
【００１３】
図１〜図１０は本発明の一実施形態を示す。本実施形態のコネクタは、メスコネクタに適用されている。メスコネクタ１は、コネクタハウジング２、及び複数のメス端子（端子）３とから構成される。
【００１４】
コネクタハウジング２は、合成樹脂材から箱状に形成されるハウジング本体２１と、ハウジング本体２１から上方に突設され、図示しない相手側コネクタとの嵌合を保持するロックアーム２２とから構成される。ハウジング本体２１の内部には、２段に積層され、壁部２３に囲まれた複数の端子収容室２４と、各端子収容室２４に突出するランス２５と、後述するスタビライザ３６、３７が挿入される図示しないスリットとが設けられる。ランス２５の突出側に対向する側（図２の上側）の壁部２３には、下向きの規制凹部２６が設けられる。なお、図２において端子収容室２４の幅方向の中心線に沿う断面にハッチング（斜線）を施してあり、図７〜図１０において端子収容室２４の幅方向の中心線より紙面の手前側へオフセットした位置の断面にハッチングを施してある。
【００１５】
端子収容室２４に収容されるメス端子３は、挿入方向の前側に配置される箱状部３１と、箱状部３１より後側に連続して配置され、電線４の接続と保持を行なう芯線加締め部（ワイヤバレル）３２及び被覆加締め部（インシュレーションバレル）３３とから構成される。箱状部３１には、ランス２５に係止されるランス係止部３４と、メス端子３の長手方向の中央箇所から上方に突設され、メス端子３の端子収容位置で規制凹部２６に係止される突部３５と、箱状部３１の幅方向の一端及び他端からそれぞれ下方に突設され、メス端子３が上下逆向きに誤って挿入されることを防止するスタビライザ（突出片部）３６、３７とを備えている。
【００１６】
突部３５は、図６に示すように、テーパ状の前面３５ａと後面３５ｂを有し、断面が略台形に形成されている。突部３５の端子挿入側の先端面の先端（前面３５ａの上端）３８は、アール（円弧）形状に形成される。ハウジング本体２１の規制凹部２６の前面２６ａと後面２６ｂは、突部３５の前面３５ａと後面３５ｂにそれぞれ対応してテーパ状に形成される。
【００１７】
本実施形態では、コネクタハウジング２に電線４付きのメス端子３を組み込む際、まず図７に示すように、ハウジング本体２１の端子収容室２４に後側（図７の右側）からメス端子３の箱状部３１を挿入開始し、図８に示すように、メス端子３の後端側を下方に傾けた状態で、メス端子３をハウジング本体２１のランス２５後端まで挿入する。このとき、箱状部３１上部の突部３５がハウジング本体２１の壁部２３下面に接触する。
【００１８】
次いで、図９に示すように、メス端子３の後端側を下方に傾けた状態で、メス端子３をさらに前側へ挿入すると、箱状部３１がハウジング本体２１のランス２５に係合してランス２５が撓むことにより、メス端子３の挿入が許容される。図１０に示すように、メス端子３を端子収容位置まで挿入完了すると、メス端子３のランス係止部３４がランス２５に係止されるとともに、メス端子３の突部３５が端子収容室２４上部の壁部２３の規制凹部２６に係止される
以上説明したように、本実施形態では、端子収容室２４に収容されたメス端子３は、ハウジング本体２１のランス２５と規制凹部２６の二箇所で係止され、ハウジング本体２１の端子収容室２４とメス端子３間のがたつきが抑制される。これにより、振動条件下においてもメス端子３及び相手側端子間で安定した電気的導通を得ることができる。また、端子収容室２４に収容したメス端子３を係止する力を向上させることができる。
【００１９】
本実施形態では、突部３５の前面３５ａと後面３５ｂ及び規制凹部２６の前面２６ａと後面２６ｂがそれぞれ対応してテーパ状に形成されるので、これらのテーパ角度を調整することにより、ハウジング本体２１の端子収容室２４とメス端子３間のがたつきをさらに少なくすることができる。
【００２０】
本実施形態では、従来例のようにランスと共にスペーサを設けた場合と比べて、簡素な構成となるので、コスト低減を図ることができる。
【００２１】
本実施形態では、突部３５をメス端子３の長手方向の中央箇所に設けたので、キャビティ（端子収容室）の損傷を防止できるとともに、安定した端子保持力を確保できる。なお、突部をメス端子の前端に設けた場合、メス端子の傾きが規制されるため、メス端子の端子収容室への挿入に要する力が大きくなり、キャビティ（端子収容室）を傷つけやすいという問題があり、また、突部をメス端子の後端に設けた場合、圧着形状（寸法）及びがたつきにより安定した端子保持力が確保できないという問題があるので、上記のように突部３５をメス端子３の長手方向の中央箇所に設けることが適切である。
【００２２】
本実施形態では、ハウジング本体２１の端子収容室２４にメス端子３を挿入する際、箱状部３１上部の突部３５がハウジング本体２１の壁部２３下面に接触するが、突部３５の端子挿入側の先端面の先端３７はアール形状に形成されるので、先端３７でハウジング本体２１の壁部２３下面が傷付くことを抑制できる。
【００２３】
なお、上記実施形態では、コネクタがメスコネクタ１である場合について例示したが、本発明はこれに限定されず、オスコネクタにも適用することができる。
【符号の説明】
【００２４】
１  メスコネクタ（コネクタ）
２  コネクタハウジング
３  メス端子（端子）
２３  壁部
２４  端子収容室
２５  ランス
２６  規制凹部
３４  ランス係止部
３５  突部
３８  先端
【図１】
2013225430.tif 000003
【図２】
2013225430.tif 000004
【図３】
2013225430.tif 000005
【図４】
2013225430.tif 000006
【図５】
2013225430.tif 000007
【図６】
2013225430.tif 000008
【図７】
2013225430.tif 000009
【図８】
2013225430.tif 000010
【図９】
2013225430.tif 000011
【図１０】
2013225430.tif 000012
【図１１】
2013225430.tif 000013